【手続補正書】
【提出日】平成17年12月28日(2005.12.28)
【手続補正１】
【補正対象書類名】明細書
【補正対象項目名】発明の名称
【補正方法】変更
【補正の内容】
【発明の名称】データ記録システム、記録先決定装置、および記録媒体
【手続補正２】
【補正対象書類名】明細書
【補正対象項目名】特許請求の範囲
【補正方法】変更
【補正の内容】
【特許請求の範囲】
【請求項１】  複数個の、画像および／または音声を含むデータを所定の記録媒体に記録する記録装置と、
あらかじめ決められた方法に基づいて、前記複数個の記録装置のうちの、前記データの記録先となる前記記録装置を決定する記録先決定手段を少なくとも有する記録先決定装置とを備えた
ことを特徴とするデータ記録システム。
【請求項２】  あらかじめ決められた方法に基づいて、画像および／または音声を含むデータを所定の記録媒体に記録する記録装置複数個のうちの、前記データの記録先となる前記記録装置を決定する記録先決定手段を少なくとも備え、
前記データが記録されるさい、そのデータは、前記記録先決定手段によって決定された前記記録装置の前記記録媒体に記録されることを特徴とする記録先決定装置。
【請求項３】  前記あらかじめ決められた方法とは、ユーザによってあらかじめ決定された前記複数個の記録装置のいずれかの選択を意味することを特徴とする請求項２に記載の記録先決定装置。
【請求項４】  前記複数個の記録装置のうちの少なくとも一つは、リムーバブルの前記記録媒体が装填され、そのリムーバブルの記録媒体に前記データを記録するリムーバブル記録媒体用記録装置であり、
前記ユーザによってあらかじめ選択された前記記録装置が前記リムーバブル記録媒体用記録装置であることを特徴とする請求項３に記載の記録先決定装置。
【請求項５】  前記データの記録先となる前記記録装置をユーザが任意に選ぶことができるモードを有し、
前記記録先決定手段が決定するモードを選ぶか、前記ユーザが任意に選ぶことができるモードを選ぶかの選択を、前記ユーザから受け付ける選択受付手段をさらに備えたことを特徴とする請求項２に記載の記録先決定装置。
【請求項６】  過去における、前記複数個の記録装置それぞれの使用頻度を調べる使用頻度調査手段をさらに備え、
前記記録先決定手段は、前記選択受付手段が前記ユーザから、前記記録先決定手段が決定するモードを選ぶ選択を受け付けた場合に、前記あらかじめ決められた方法として、前記使用頻度調査手段によって調べられた使用頻度が最も高い前記記録装置を選択する
ことを特徴とする請求項５に記載の記録先決定装置。
【請求項７】  前記複数個の記録装置のうちの少なくとも一つは、リムーバブルの前記記録媒体が装填され、そのリムーバブルの記録媒体に前記データを記録するリムーバブル記録媒体用記録装置であり、
前記あらかじめ決められた方法とは、前記リムーバブル記録媒体用記録装置に前記リムーバブルの記録媒体が装填されている場合には、前記リムーバブル記録媒体用記録装置が選択される方法を意味することを特徴とする請求項２に記載の記録先決定装置。
【請求項８】  前記記録先決定手段によって決定された前記記録先となる前記記録装置における、前記記録媒体の残存記録容量があらかじめ決められた容量以下の場合には、または前記記録媒体への新たなデータの記録が禁止されている場合には、前記決定された前記記録先となる前記記録装置の前記記録媒体には前記データは記録されないことを特徴とする請求項２から７のいずれかに記載の記録先決定装置。
【請求項９】  前記複数個の記録装置のうちの少なくとも一つは、リムーバブルの前記記録媒体が装填され、そのリムーバブルの記録媒体に前記データを記録するリムーバブル記録媒体用記録装置であり、前記複数個の記録装置のうちの少なくとも他の一つは、固定設置型の前記記録媒体に前記データを記録する固定型記録媒体用記録装置であり、
前記記録先決定手段によって決定された前記記録先となる前記記録装置が前記リムーバブル記録媒体用記録装置であって、
所定の場合に、前記固定型記録媒体用記録装置の前記固定設置型の記録媒体に前記データが記録されるように制御する制御手段を更に備えたことを特徴とする、請求項２から６のいずれかに記載の記録先決定装置。
【請求項１０】  前記所定の場合とは、前記リムーバブル記録媒体用記録装置に前記リムーバブルの記録媒体が装填されていない場合である、請求項９に記載の記録先決定装置。
【請求項１１】  前記所定の場合とは、装填されている前記リムーバブルの記録媒体の残存記録容量があらかじめ決められた容量以下の場合である、請求項９に記載の記録先決定装置。
【請求項１２】  前記所定の場合とは、装填されている前記リムーバブルの記録媒体への新たなデータの記録が禁止されている場合である、請求項９に記載の記録先決定装置。
【請求項１３】  前記制御手段は、前記リムーバブル記録媒体用記録装置に、前記リムーバブルの記録媒体が装填された後に、または所定量の残存記録容量を有する前記リムーバブルの記録媒体が装填された後に、または新たなデータの記録が許可されている前記リムーバブルの記録媒体が装填された後に、前記固定設置型の記録媒体に記録された前記データが前記リムーバブルの記録媒体に記録されるように制御することを特徴とする請求項９から１２のいずれかに記載の記録先決定装置。
【請求項１４】  請求項２に記載の記録先決定装置の、あらかじめ決められた方法に基づいて、画像および／または音声を含むデータを所定の記録媒体に記録する記録装置複数個のうちの、前記データの記録先となる前記記録装置を決定する記録先決定手段としてコンピュータを機能させるためのプログラムを担持した記録媒体であって、コンピュータにより処理可能なことを特徴とする記録媒体。
【手続補正３】
【補正対象書類名】明細書
【補正対象項目名】０００７
【補正方法】変更
【補正の内容】
【０００７】
【課題を解決するための手段】
第１の本発明は、複数個の、画像および／または音声を含むデータを所定の記録媒体に記録する記録装置と、
あらかじめ決められた方法に基づいて、前記複数個の記録装置のうちの、前記データの記録先となる前記記録装置を決定する記録先決定手段を少なくとも有する記録先決定装置とを備えたことを特徴とするデータ記録システムである。
【手続補正４】
【補正対象書類名】明細書
【補正対象項目名】０００８
【補正方法】変更
【補正の内容】
【０００８】
第２の本発明は、あらかじめ決められた方法に基づいて、画像および／または音声を含むデータを所定の記録媒体に記録する記録装置複数個のうちの、前記データの記録先となる前記記録装置を決定する記録先決定手段を少なくとも備え、
前記データが記録されるさい、そのデータが、前記記録先決定手段によって決定された前記記録装置の前記記録媒体に記録されることを特徴とする記録先決定装置である。
【手続補正５】
【補正対象書類名】明細書
【補正対象項目名】０００９
【補正方法】変更
【補正の内容】
【０００９】
第３の本発明は、前記あらかじめ決められた方法とは、ユーザによってあらかじめ決定された前記複数個の記録装置のいずれかの選択を意味することを特徴とする第２の本発明の記録先決定装置である。
【手続補正６】
【補正対象書類名】明細書
【補正対象項目名】００１０
【補正方法】変更
【補正の内容】
【００１０】
第４の本発明は、前記複数個の記録装置のうちの少なくとも一つが、リムーバブルの前記記録媒体が装填され、そのリムーバブルの記録媒体に前記データを記録するリムーバブル記録媒体用記録装置であり、
前記ユーザによってあらかじめ選択された前記記録装置が前記リムーバブル記録媒体用記録装置であることを特徴とする第３の本発明の記録先決定装置である。
【手続補正７】
【補正対象書類名】明細書
【補正対象項目名】００１１
【補正方法】変更
【補正の内容】
【００１１】
第５の本発明は、前記データの記録先となる前記記録装置をユーザが任意に選ぶことができるモードを有し、
前記記録先決定手段が決定するモードを選ぶか、前記ユーザが任意に選ぶことができるモードを選ぶかの選択を、前記ユーザから受け付ける選択受付手段をさらに備えたことを特徴とする第２の本発明の記録先決定装置である。
【手続補正８】
【補正対象書類名】明細書
【補正対象項目名】００１２
【補正方法】変更
【補正の内容】
【００１２】
第６の本発明は、過去における、前記複数個の記録装置それぞれの使用頻度を調べる使用頻度調査手段をさらに備え、
前記記録先決定手段が、前記選択受付手段が前記ユーザから、前記記録先決定手段が決定するモードを選ぶ選択を受け付けた場合に、前記あらかじめ決められた方法として、前記使用頻度調査手段によって調べられた使用頻度が最も高い前記記録装置を選択することを特徴とする第５の本発明の記録先決定装置である。
【手続補正９】
【補正対象書類名】明細書
【補正対象項目名】００１３
【補正方法】変更
【補正の内容】
【００１３】
第７の本発明は、前記複数個の記録装置のうちの少なくとも一つが、リムーバブルの前記記録媒体が装填され、そのリムーバブルの記録媒体に前記データを記録するリムーバブル記録媒体用記録装置であり、
前記あらかじめ決められた方法とは、前記リムーバブル記録媒体用記録装置に前記リムーバブルの記録媒体が装填されている場合には、前記リムーバブル記録媒体用記録装置が選択される方法を意味することを特徴とする第２の本発明の記録先決定装置である。
【手続補正１０】
【補正対象書類名】明細書
【補正対象項目名】００１４
【補正方法】変更
【補正の内容】
【００１４】
第８の本発明は、前記記録先決定手段によって決定された前記記録先となる前記記録装置における、前記記録媒体の残存記録容量があらかじめ決められた容量以下の場合には、または前記記録媒体への新たなデータの記録が禁止されている場合には、前記決定された前記記録先となる前記記録装置の前記記録媒体には前記データは記録されないことを特徴とする第２から第７のいずれかの本発明の記録先決定装置である。
【手続補正１１】
【補正対象書類名】明細書
【補正対象項目名】００１５
【補正方法】変更
【補正の内容】
【００１５】
第９の本発明は、第２から第６のいずれかの本発明の前記複数個の記録装置のうちの少なくとも一つは、リムーバブルの前記記録媒体が装填され、そのリムーバブルの記録媒体に前記データを記録するリムーバブル記録媒体用記録装置であり、前記複数個の記録装置のうちの少なくとも他の一つは、固定設置型の前記記録媒体に前記データを記録する固定型記録媒体用記録装置であり、
前記記録先決定手段によって決定された前記記録先となる前記記録装置が前記リムーバブル記録媒体用記録装置であって、
所定の場合に、前記固定型記録媒体用記録装置の前記固定設置型の記録媒体に前記データが記録されるように制御する制御手段を更に備えたことを特徴とする、第２から第６のいずれかの本発明の記録先決定装置である。
また、第１０の本発明は、前記所定の場合とは、前記リムーバブル記録媒体用記録装置に前記リムーバブルの記録媒体が装填されていない場合である、第９の本発明の記録先決定装置である。
また、第１１の本発明は、前記所定の場合とは、装填されている前記リムーバブルの記録媒体の残存記録容量があらかじめ決められた容量以下の場合である、第９の本発明の記録先決定装置である。
また、第１２の本発明は、前記所定の場合とは、装填されている前記リムーバブルの記録媒体への新たなデータの記録が禁止されている場合である、第９の本発明の記録先決定装置である。
また、第１３の本発明は、前記制御手段は、前記リムーバブル記録媒体用記録装置に、前記リムーバブルの記録媒体が装填された後に、または所定量の残存記録容量を有する前記リムーバブルの記録媒体が装填された後に、または新たなデータの記録が許可されている前記リムーバブルの記録媒体が装填された後に、前記固定設置型の記録媒体に記録された前記データが前記リムーバブルの記録媒体に記録されるように制御することを特徴とする第９から第１２のいずれかの本発明の記録先決定装置である。
【手続補正１２】
【補正対象書類名】明細書
【補正対象項目名】００１６
【補正方法】変更
【補正の内容】
【００１６】
第１４の本発明は、第２の本発明の記録先決定装置のあらかじめ決められた方法に基づいて、画像および／または音声を含むデータを所定の記録媒体に記録する記録装置複数個のうちの、前記データの記録先となる前記記録装置を決定する記録先決定手段としてコンピュータを機能させるためのプログラムを担持した記録媒体であって、コンピュータにより処理可能なことを特徴とする記録媒体である。
【手続補正１３】
【補正対象書類名】明細書
【補正対象項目名】００１７
【補正方法】削除
【補正の内容】